(57)【要約】【課題】  時間のかかる生体情報登録作業をオペレータに監視させることなく生体情報と作業者本人の顔面画像が同一人物のものであることを保証して事前に実施できるようにする必要がある。【解決手段】  作業者の生体情報を取得する生体情報取得部と、生体情報を取得する際の前記作業者の生体部位から顔面までを含む画像を取得する画像取得部と、画像の歪み補正を行う処理部と、歪み補正が行われた画像に対して生体部位から顔面までの輪郭の連続性を判定する判定部と、判定部により連続性ありと判定された場合に、歪み補正が行われた画像から顔領域を抽出して顔面画像を取得する抽出部と、を備える生体情報登録システムおよび情報取得装置を提供する。【選択図】  図１
2015225486.tif 000002
【特許請求の範囲】
【請求項１】
情報取得装置と画像処理装置と情報格納装置とを有する生体情報登録システムであって、
前記情報取得装置は、
作業者の生体情報を取得し、前記情報格納装置へ送信する生体情報取得部と、
前記生体情報を取得する際の前記作業者の生体部位から顔面までを含む画像を取得し、前記画像処理装置へ送信する画像取得部と、を備え、
前記画像処理装置は、
前記画像の歪み補正を行う処理部と、
歪み補正が行われた画像に対して前記生体部位から顔面までの輪郭の連続性を判定する判定部と、
前記判定部により連続性ありと判定された場合に、前記歪み補正が行われた画像から顔領域を抽出して顔面画像を取得する抽出部と、
前記顔面画像を前記情報格納装置へ送信する送信部と、を備え、
前記情報格納装置は、
前記生体情報取得部から受信した前記生体情報と前記送信部から受信した前記顔面画像とを対応付けて保持する格納部を備えることを特徴とする生体情報登録システム。
【請求項２】
請求項１に記載の生体情報登録システムであって、
前記画像取得部は、前記画像を取得するための広角カメラを備えており、
前記生体情報取得部は、前記生体情報を取得するための生体情報リーダを備えており、
前記生体情報リーダは、前記広角カメラの画角に収まるよう、前記情報取得装置の本体から突き出た位置に配置されていることを特徴とする生体情報登録システム。
【請求項３】
請求項１または請求項２に記載の生体情報登録システムであって、
前記前記情報取得装置は、
前記作業者から個人情報の入力を受け付けて前記情報格納装置へ送信する入力部を備え、
前記格納部は、前記入力部から受信した前記個人情報と、前記生体情報取得部から受信した前記生体情報と、前記送信部から受信した前記顔面画像と、を対応付けて保持することを特徴とする生体情報登録システム。
【請求項４】
請求項１から請求項３のいずれかに記載の生体情報登録システムであって、
前記作業者が来訪時にオペレータが参照するための表示装置を有し、
前記表示装置は、来訪した前記作業者の個人情報と顔面画像を前記情報格納装置から取得して表示することを特徴とする生体情報登録システム。
【請求項５】
請求項１から請求項４のいずれかに記載の生体情報登録システムであって、
前記情報取得装置は、スマートフォンまたはタブレット端末であることを特徴とする生体情報登録システム。
【請求項６】
作業者の生体情報と顔面画像とを対応付けて保持する情報格納装置にネットワークを介して接続される情報取得装置であって、
作業者の生体情報を取得し、前記情報格納装置へ送信する生体情報取得部と、
前記生体情報を取得する際の前記作業者の生体部位から顔面までを含む画像を取得する画像取得部と、
前記画像の歪み補正を行う処理部と、
歪み補正が行われた画像に対して前記生体部位から顔面までの輪郭の連続性を判定する判定部と、
前記判定部により連続性ありと判定された場合に、前記歪み補正が行われた画像から顔領域を抽出して顔面画像を取得する抽出部と、
前記顔面画像を前記情報格納装置へ送信する送信部と、を備えることを特徴とする情報取得装置。
【請求項７】
請求項６に記載の情報取得装置であって、
前記画像取得部は、前記画像を取得するための広角カメラを備えており、
前記生体情報取得部は、前記生体情報を取得するための生体情報リーダを備えており、
前記生体情報リーダは、前記広角カメラの画角に収まるよう、前記情報取得装置の本体から突き出た位置に配置されていることを特徴とする情報取得装置。
【請求項８】
請求項６または請求項７に記載の情報取得装置であって、
前記情報取得装置は、スマートフォンまたはタブレット端末であることを特徴とする情報取得装置。
【発明の詳細な説明】
【技術分野】
【０００１】
本発明は、セキュリティシステムを備える施設へ入館する際の生体情報登録システム、および情報取得装置に関する。
【背景技術】
【０００２】
従来より、高度なセキュリティを要するデータセンタでは、生体情報を用いた個人認証システムを導入しており、利用者はデータセンタへの入館前に受付で生体情報の登録作業を実施している。
【０００３】
生体情報登録時に常に問題になることのひとつとして、他人になりすましてＩＤカードを発行する者をいかにして排除するかがある。なりすましを行う者は発行されたカードを不正に使用する目的で、発行されるＩＤカードに対して自分の生体情報を登録する。
【０００４】
一般的に、生体認証方式ではなりすましが無いことを確認するため、ＩＤカードの発行を要求する者（以下、登録者と言う。）に対して、顔写真付身分証明書、例えば運転免許証、を提示させることで本人であることを確認し、生体情報の登録開始から登録完了までデータセンタ管理者（以下、オペレータと言う。）が登録者を監視し続けることで、他人への入れ替わりが無いことを確認する手順を取っている。
【０００５】
また、特許文献１のように、生体情報登録の入力受付前と生体情報入力受付時に顔面画像を取得し、２枚の画像を照合することで、登録者が途中で入れ替わっていないかを判別する技術がある。
【０００６】
また、特許文献２のように、登録者の顔面画像を取得する手段と、登録者の手元から顔面までを含む画像を取得する手段と、利用者の全身とその周囲の画像を取得する手段を持ち、手元から顔面までを含む画像に対し不連続点の有無を確認し、顔面から指まで不自然な箇所が無いか確認することで、登録される生体情報と顔画像が同一人物のものであることを担保する技術がある。
【０００７】
また、特許文献３のように人を感知するための多数の手段と、生体情報取得手段と、ネットワークを経由してリモート監視できる手段を写真ボックスに似た部屋に設置することでなりすましを防止する技術がある。
【先行技術文献】
【特許文献】
【０００８】
【特許文献１】特開2003-208407号公報
【特許文献２】特開2006-309562号公報
【特許文献３】特開2009-55934号公報
【発明の概要】
【発明が解決しようとする課題】
【０００９】
近年、クラウド化推進によるＩＴリソースの所有から利用という潮流が促進され、データセンタ内の機器が増加傾向にある。それに伴い、データセンタへの入館者も増加傾向にあり、入館登録の際の混雑による待ち時間が問題となっている。そこで、近年では入館登録における作業時間を低減し、かつセキュリティを維持した設備が求められている。
【００１０】
前述の通り、入館登録にあたり生体情報を登録する際は、生体情報登録の開始から終了までオペレータが監視し続けることで生体情報が登録者本人のものであることを保証するため、現地で生体情報を登録することが基本となる。このことが現地で待ち時間が発生する理由のひとつとなっている。
【００１１】
そのため、前述の特許文献のような方法が採用される場合があるが、例えば特許文献１の生体情報登録方法は、同一人物か否かの判定を、単に顔面画像によって判断するものであったため、登録すべき生体情報が本人のものであるか否かを判定するための確実性に欠ける部分があった。詳述すると、例えば指や手等の生体情報を登録する際には、この指や手は、顔面と離れた位置にある。このため、例えば指や手だけ他人のものや模造品を使用して生体登録がなされても、顔面画像と生体情報が同一人物のものであると保証してしまう問題点があった。
【００１２】
また、特許文献２の生体情報取得方法は、指画像と顔面画像の紐付けを保証するカメラと、顔面画像を取得するカメラが別々に用意されているため、装置が大掛かりになり、コストが掛かる問題がある。
【００１３】
また、特許文献３の生体情報登録方法は不正防止手段として、多数のセンサを備えているため、コストが掛かる問題がある。また、特許文献２、特許文献３ともボックス型の装置のため、現実問題として設置場所も限られる。生体情報の事前登録の観点から見ると、作業予定者が限られた設置場所に出向く必要があるため、利便性の意味では疑問点が残る。
【課題を解決するための手段】
【００１４】
上記課題の少なくとも一つを解決するために、本発明では以下の生体情報登録システムおよび情報取得装置を提供する。
【００１５】
情報取得装置と画像処理装置と情報格納装置とを有する生体情報登録システムであって、
情報取得装置は、
作業者の生体情報を取得し、情報格納装置へ送信する生体情報取得部と、
生体情報を取得する際の前記作業者の生体部位から顔面までを含む画像を取得し、画像処理装置へ送信する画像取得部と、を備え、
画像処理装置は、
画像の歪み補正を行う処理部と、
歪み補正が行われた画像に対して生体部位から顔面までの輪郭の連続性を判定する判定部と、
判定部により連続性ありと判定された場合に、歪み補正が行われた画像から顔領域を抽出して顔面画像を取得する抽出部と、
顔面画像を前記情報格納装置へ送信する送信部と、を備え、
情報格納装置は、
生体情報取得部から受信した生体情報と送信部から受信した顔面画像とを対応付けて保持する格納部を備える生体情報登録システム。
【００１６】
作業者の生体情報と顔面画像とを対応付けて保持する情報格納装置にネットワークを介して接続される情報取得装置であって、
作業者の生体情報を取得し、情報格納装置へ送信する生体情報取得部と、
生体情報を取得する際の作業者の生体部位から顔面までを含む画像を取得する画像取得部と、
画像の歪み補正を行う処理部と、
歪み補正が行われた画像に対して生体部位から顔面までの輪郭の連続性を判定する判定部と、
判定部により連続性ありと判定された場合に、歪み補正が行われた画像から顔領域を抽出して顔面画像を取得する抽出部と、
顔面画像を情報格納装置へ送信する送信部と、を備える情報取得装置。
【発明の効果】
【００１７】
本発明によれば、少なくとも以下いずれかの効果を奏する。オペレータに監視させることなく、生体情報と作業者本人の顔面画像が同一人物のものであることを保証して生体情報の登録を行うことができる。また、情報取得デバイスが持ち運び可能な機器のため、時間・場所を選ばすに作業者本人が生体情報を登録することができる。また、作業者の指先部から顔面部まで１つのカメラで撮影し、歪み補正を施すため、機器に搭載するカメラの台数を削減することができ、持ち運び可能な機器へ搭載することを可能としている。
【図面の簡単な説明】
【００１８】
【図１】本実施例の生体情報登録システムの構成例を示す図である。
【図２】本実施例で使用される情報取得デバイス１０１のイメージ図である。
【図３】本実施例で使用される情報取得デバイス１０１のブロック図である。
【図４】本実施例で使用される情報格納ＤＢ１１２の例を示す図である。
【図５】作業者１００が情報取得デバイス１０１を用いて生体情報を登録する際の処理例を示すフローチャートである。
【図６】ＩＤカード発行時の処理例を示すフローチャートである。
【図７】生体認証時の処理例を示すフローチャートである。
【図８】生体情報登録システムの別の構成例を示す図である。
【発明を実施するための形態】
【００１９】
本発明の一実施例である生体情報登録システムについて、図面を用いて説明する。
図１は、本実施例の生体情報登録システムの構成例を示す図である。本生体情報登録システムは、特定の作業者のみ入退室可能な入退室管理区域において、入室の際に使用する生体情報を登録するために使用される。
【００２０】
本実施例の生体情報登録システムは、作業者１００から生体情報を取得したり各種情報の入力を受け付ける情報取得デバイス１０１と、画像処理サーバ１０５と、情報格納ＤＢサーバ１１０と、作業者から本人確認証１１６を提示されたオペレータ１１５が参照する出力装置１１４と、マシン室入室用ＩＤカードライタ１１７と、ＩＤカードリーダ付生体認証装置１１８を含む。
【００２１】
情報取得デバイス１０１は、作業者１００の全身の画像を取得する全身画像取得部１０２と、作業者１００の生体情報を取得する生体情報取得部１０３と、作業者１００の個人情報を入力する個人情報入力部１０４で構成される。
【００２２】
全身画像取得部１０２は、作業者１００の指先から顔面までを連続で捉えることができる様、広角カメラを備えており、作業者１００の指先から顔面までを含む静止画を撮影することができる。個人情報入力部１０３は、情報取得デバイス１０１に搭載したタッチパネル等の入力装置を用いて、作業者１００の個人情報の入力を受ける。生体情報取得部１０４は、生体情報を取得できる装置を用いて、作業者１００の生体情報を取得できる。生体情報としては、指紋や指静脈などを採用することが可能である。
【００２３】
画像処理サーバ１０５は、歪み補正処理部１０６と、全身画像連続性判定部１０７と、顔面画像抽出部１０８と、顔面画像送信部１０９を含む。歪み補正処理部１０６は全身画像処理部１０２より受け取った全身画像情報をレンズ歪み補正技術により補正を行い、全身画像連続性判定部１０７による連続性判定と、顔面画像抽出部１０８による顔面画像抽出が行える形に変換する。
【００２４】
全身画像連続性判定部１０７は、全身画像の指先部から顔面部まで不連続点が無いか判定することで、生体登録する指先部から本人認証を行う顔面部まで不自然な点がなく、一人の利用者が正規に登録をおこなっていることを確認する。不連続点が無いか判定する方法としてはキャニー法による輪郭抽出アルゴリズムを適用する。キャニー法とは、輪郭抽出アルゴリズムの一種であり、画像の明るさが不連続に変化している箇所を特定し、輪郭を抽出できる手法である。
【００２５】
キャニー法を用いることにより、全身画像の輪郭を抽出し、生体情報取得部１０３に接している指先部を起点とした輪郭が連続性を保ちながら顔面部周辺の輪郭まで繋がっているか判定することができる。
【００２６】
次に、顔面画像抽出部１０８は、自身が予め保持している顔面画像情報である顔面画像テンプレートを用いて、テンプレートマッチング法による顔領域抽出を行う。テンプレートマッチング法とは、取得した画像に対してテンプレートとする顔画像を捜査し、顔領域を検出する手法である。
【００２７】
次に、顔面画像送信部１０９は、顔面画像抽出部１０８が抽出した顔面画像を情報登録処理部１１１に送信する。
【００２８】
情報格納ＤＢサーバ１１０は、情報登録処理部１１１と、情報格納ＤＢ１１２と、情報検索処理部１１３を含む。
【００２９】
情報登録処理部１１１は、生体情報取得部１０３から送信された生体情報と、顔面画像送信部１０９から送信された顔面画像と、個人情報入力部１０４から送信された個人情報を情報格納ＤＢ１１２に格納する。
【００３０】
情報格納ＤＢ１１２は情報登録処理部１１１から送信された生体情報、顔面画像、個人情報を格納する。
【００３１】
情報検索処理部１１３は、データセンタや入退室管理区域等のゲート外に設置されている出力装置１１４から個人情報（例えば氏名など）をキーとした検索依頼を受けると、情報格納ＤＢ１１２に対して検索を行う。検索結果として、情報格納ＤＢから個人情報と顔面画像と生体情報を受け取り、それら情報を出力装置１１４に送信する。出力装置１１４は、情報検索処理部１１３から受け取った個人情報と顔面画像を画面に出力する。
【００３２】
事前に情報取得デバイス１０１を利用して個人情報と生体情報の登録を済ませた作業者１００が来場すると、オペレータ１１５は、出力装置１１４から出力された個人情報および顔面画像を、提示された本人確認証１１６および作業者１００本人の顔と比較し、本人であると確認した場合、出力装置１１４に電気的に接続されたマシン室入室用ＩＤカードライタ１１７を用い、ＩＤカードへ生体情報の登録処理を行う。出力装置１１４は生体情報の登録処理が行われたＩＤカードのＩＤ番号を情報検索処理部１１３に送信する。情報検索処理部１１３は受け取ったＩＤ番号を情報格納ＤＢ１１２に格納する。なお生体情報が登録されたＩＤカードは作業者に渡される。
【００３３】
ＩＤカードを保持した作業者１００が入退室管理区域のゲートに来ると、ゲートに設置されたＩＤカードリーダ付生体認証装置１１８にＩＤカードを読ませ、ＩＤカードリーダ付生体認証装置１１８の生体情報取得部に指等をかざして生体情報を取得させる。ＩＤカードリーダ付生体認証装置１１８は、ＩＤカードに登録された生体情報と作業者１００から取得した生体情報との照合を行い、一致した場合に、マシン室へ入館を許可する。
【００３４】
図２は、本実施例で使用される情報取得デバイス１０１のイメージ図である。情報取得デバイス１０１は作業者の指先部２０５、腕部２０６、肩部２０７、顔面部２０８を全て含む画像を撮影できる広角レンズを備えた広角カメラ２０１と、撮影時の本人画像と入力文字を表示するディスプレイ２０２、入力装置としての機能を持つタッチパネル２０３、作業者の生体情報を取得する生体情報リーダ２０４を備える。生体情報リーダ２０４は、広角カメラ２０１の画角に収まるよう、本体から突き出た位置に配置している。情報取得デバイス１０１は例えばスマートフォンやタブレット端末等の携帯端末であり、作業者１００が自由に持ち運び可能な端末である。また、広角カメラ２０１と生体情報リーダ２０４は、情報取得デバイス１０１から取り外し可能な外付け装置であってもよい。
【００３５】
図３は、本実施例で使用される情報取得デバイス１０１のブロック図である。主制御部３０２はＣＰＵ３０３、メモリ３０４、記憶部３０５、通信部３０６により構成されており、ＣＰＵ３０３が、メモリ３０４をワークエリアとして利用して、記憶部２４に記憶されたデータやプログラムに従って各機構（２０１〜２０４）を駆動制御し、通信部３０６によって通信回線３０７を介して無線または有線でデータ通信を実行する。情報取得デバイス１０１は作業者が自由に持ち運べる携帯端末であり、情報格納ＤＢサーバ１１０、画像処理サーバ１０５、出力装置１１４、ＩＤカードリーダ付生体認証装置１１８はデータセンタなどに設置されており、無線または有線により相互にデータ通信可能である。また、情報取得デバイス１０１、情報格納ＤＢサーバ１１０、画像処理サーバ１０５、出力装置１１４、ＩＤカードリーダ付生体認証装置１１８のそれぞれは、独自のプロトコルを用いてデータ通信を行っており、個人情報、生体情報、顔面画像が盗聴されることを防止することができる。
【００３６】
図４は、本実施例で使用される情報格納ＤＢ１１２の例を示す図である。情報格納ＤＢ１１２が格納するテーブルはユーザＩＤ４００、個人情報（氏名）４０１、生体情報４０２、顔面画像情報４０３、ＩＤ番号４０４、ステータス４０５の各カラムで構成されている。
【００３７】
情報登録処理部１１１は、情報取得デバイス１０１および画像処理サーバ１０５から個人情報、生体情報および顔面情報を受信すると、受信した個人情報に含まれる氏名をキーとして情報格納ＤＢ１１２を検索し、作業者の個人情報が登録済みか否か判断する。作業者の個人情報が未登録であった場合は、受信した個人情報、生体情報、顔面画像を、それぞれ情報格納ＤＢ１１２の個人情報（氏名）４０１、生体情報４０２、顔面画像情報４０３に格納し、該当行のステータス４０５を”仮登録”とする。
【００３８】
作業者１００へのＩＤカード発行時に、出力装置１１４から個人情報（氏名）をキーとした検索依頼を受けた情報検索処理部１１３は、個人情報（氏名）をキーとして情報格納ＤＢ１１２を検索し、情報格納ＤＢ１１２に格納されている個人情報（氏名）４０１、生体情報４０２、顔面画像情報４０３のデータを出力装置１１４へ送信する。オペレータ１１５が出力装置１１４から出力された情報を見て情報格納ＤＢ１１２に登録された情報が作業者１００本人のものであると確認し、ＩＤカードへ生体情報の登録が完了すると、情報検索処理部１１３は、出力装置１１４から受信したＩＤカードのＩＤ番号を情報格納ＤＢ１１２のＩＤ番号４０４に格納し、該当行のステータス４０５を”本登録”に更新する。
【００３９】
ＩＤカードを保持した作業者１００が入退室管理区域のゲートに来て生体認証を行う際、作業者１００がＩＤカードリーダ付生体認証装置１１８にＩＤカードをかざすと、情報検索処理部１１３はＩＤ番号をキーとして情報格納ＤＢ１１２を検索し、該当するＩＤ番号がＩＤ番号４０４に登録済であり、かつステータス４０５が”登録済”である場合、情報検索処理部１１３はＩＤカードリーダ付生体認証装置１１８に許可フラグを送信する。ＩＤカードリーダ付生体認証装置１１８は、許可フラグを受信し、かつ、ＩＤカードに登録された生体情報と作業者１００から取得した生体情報が一致した場合に、マシン室へ入館を許可する。
【００４０】
図５は、本実施例の生体情報登録システムにおいて、作業者１００が情報取得デバイス１０１を用いて生体情報を登録する際の処理例を示すフローチャートである。
【００４１】
ステップ５００において、情報取得デバイス１０１の個人情報入力部１０４は作業者１００から個人情報（例えば、氏名等）の入力を受け付けると、入力された個人情報を情報格納ＤＢサーバ１１０へ送信する。ステップ５０１において、情報格納ＤＢサーバ１１０の情報登録処理部１１１は、受信した個人情報が情報格納ＤＢ１１２に登録されているか確認し、確認結果を情報取得デバイス１０１へ送信する。確認結果として個人情報が既に情報格納ＤＢ１１２に登録されている場合は、処理を終了する。個人情報が情報格納ＤＢ１１２に登録されていなければ、ステップ５０２において、情報取得デバイス１０１の生体情報取得部１０３は、作業者の生体情報の取得を行う。この際、作業者１００が情報取得デバイス１０１の生体情報リーダ２０４に指を接地させることで生体情報を取得するのと同時に生体情報取得部１０３は全身画像取得部１０２へ要求し、ステップ５０３において、全身画像取得部１０２が作業者１００の指から顔面までを含んだ全身画像の取得を行う。ステップ５０２とステップ５０３はこのように連動しており、生体情報取得時の作業者１００の全身画像を取得できる。なお、ステップ５０３で取得した全身画像は、画像処理サーバ１０５に送信される。
【００４２】
ステップ５０４では、画像処理サーバ１０５の歪み補正処理部１０６がステップ５０３で取得した全身画像に対して歪み補正処理を行う。ステップ５０５では、全身画像連続性判定部１０７が歪み補正処理済全身画像に対してキャニー法による連続性判定を行う。全身画像連続性判定部１０７は、歪み補正済み全身画像の輪郭を抽出し、情報取得デバイス１０１の生体情報リーダ２０４周囲に写る指先部を起点とした輪郭が連続性を保ちながら顔面部周辺の輪郭まで繋がっているか判定し、判定の結果、連続性が保たれていると判断した場合（ステップ５０６のＹＥＳ）、ステップ５０７に遷移し、顔面画像抽出部１０８がテンプレートマッチング法による顔領域抽出を行う。テンプレートマッチング法では、ステップ５０４で抽出した歪み補正済全身画像に対して、予め顔面画像抽出部１０８が保持している顔面画像テンプレートを捜査し、作業者１００の顔面画像の抽出を行う。なお、ステップ５０６において連続性が保たれていないと判断した場合は、偽造された指が使用されている可能性などがあるため、処理を終了する。
【００４３】
ステップ５０８では、顔面画像送信部１０９がステップ５０７で抽出した顔面画像を、個人情報入力部１０４がステップ５００で入力された個人情報を、生体情報取得部１０３がステップ５０２で取得した生体情報をそれぞれ情報格納ＤＢサーバ１１０の情報登録処理部１１１に送信する。ステップ５０９では、情報登録処理部１１１が受信した顔面画像、個人情報、生体情報を情報格納ＤＢ１１２に格納する。
【００４４】
図６は、本実施例の生体情報登録システムにおけるＩＤカード発行時の処理例を示すフローチャートである。ここでは、図５のフローに従って事前に生体情報を登録した作業者１００がＩＤカードの発行を申請するためにオペレータ１１５のところに来た状況を想定している。
【００４５】
ステップ６００では、オペレータ１１５からの要求を受けた出力装置１１４が情報格納ＤＢ１１２に格納してある作業者１００の個人情報、顔面画像を出力する。ステップ６０１では、オペレータ１１５が、作業者１００に対して、本人確認証の提示依頼を行い、ステップ６０２では、オペレータ１１５が出力装置１１４に出力されている個人情報、顔面画像とステップ６０１で提示された本人確認証の氏名欄、本人の顔との突合せ確認を行い、登録された個人情報と顔面画像が作業者本人のものであることを確認する。登録された個人情報と顔面画像が作業者本人のものであると認められない場合は（ステップ６０３のＮｏ）、ステップ６０４においてオペレータ１１５はＩＤカードを発行しない。登録された個人情報と顔面画像が作業者本人のものであると認められた場合は（ステップ６０３のＹｅｓ）、ステップ６０５において、オペレータ１１５からの指示を受けた出力装置１１４が情報格納ＤＢ１１２に格納してある作業者１００の生体情報をマシン室入室用ＩＤカードライタ１１７に送信し、マシン室入室用ＩＤカードライタ１１７がＩＤカードに生体情報を登録する。ステップ６０６では、出力装置１１７が生体情報を登録処理済のＩＤカードのＩＤ番号を情報検索処理部１１３に送信する。情報検索処理部１１３は受け取ったＩＤ番号を情報格納ＤＢ１１２のＩＤ番号４０４に格納する。なお、生体情報が登録されたＩＤカードは作業者１００に手渡され、マシン室等の入室の際に利用される。
【００４６】
図７は、本実施例の生体情報登録システムにおける生体認証時の処理例を示すフローチャートである。ここでは、ＩＤカードを発行された作業者がマシン室に入室しようとする状況を想定している。
【００４７】
ステップ７００では、作業者１００が、マシン室入り口に設置されているＩＤカードリーダ付生体認証装置１１８にＩＤカードをかざすことにより、ＩＤカードリーダ付生体認証装置１１８がＩＤカードの情報（ＩＤ番号および生体情報）を読み出す。ステップ７０１では、ＩＤカードリーダ付生体認証装置１１８が、情報格納ＤＢサーバ１１０に対し、ＩＤカードから読み出したＩＤ番号が登録されているかを問い合わせる。情報格納ＤＢサーバ１１０では、情報検索処理部１１３が問い合わせを受けたＩＤ番号をキーとして情報格納ＤＢ１１２を検索することにより、ＩＤ番号が登録されているかを確認し、確認結果をＩＤカードリーダ付生体認証装置１１８に応答する。問い合わせの結果、情報格納ＤＢ１１２に生体情報が登録されていない場合、ステップ７０２で、ＩＤカードリーダ付生体認証装置１１８は”生体情報が登録されていません”と表示し、処理を終了する。問い合わせの結果、情報格納ＤＢ１１２に生体情報が登録されている場合、ステップ７０３において、作業者１００がＩＤカードリーダ付生体認証装置１１８へ生体部分（指など）をかざすことにより、ＩＤカードリーダ付生体認証装置１１８が作業者１００の生体情報を取得する。ステップ７０４において、ＩＤカードリーダ付生体情報登録装置１１８が、ステップ７０３で取得した作業者１００の生体情報と、ステップ７００でＩＤカードから読み出した生体情報とを照合し、不一致の場合、ステップ７０５で作業者１００のマシン室への入室を拒否し、処理を終了する。一致の場合、ステップ７０６で作業者のマシン室への入室を許可し、処理を終了する。
【００４８】
上記実施形態によれば、１台のカメラで撮影した全身画像を用いて、生体情報と作業者本人の顔面画像が同一人物のものであることの確認と、本人認証用の顔面画像の取得の両方を行うことが可能である。この構成により、生体情報の登録時に必要となるカメラ台数を削減することができ、生体認証登録作業を持ち運び可能な機器で実施することが可能となっている。
【００４９】
図８は、生体情報登録システムの別の構成例を示す図である。図１の構成例との違いは、画像処理サーバ１０５の機能を情報取得デバイス１０１内に実装した点であり、各機能部の処理内容は図１の構成例と同じであるため、詳細な説明は省略する。図８の構成によれば画像処理サーバ１０５を別途設置する必要がなくなるため、より簡便な構成で生体情報登録を行うことが可能となる。
【符号の説明】
【００５０】
１００：作業者、１０１：情報取得デバイス、１０２：全身画像取得部、１０３：生体情報取得部、１０４：個人情報入力部、１０５：画像処理サーバ、１０６：歪み補正処理部、１０７：全身画像連続性判定部、１０８：顔面画像抽出部、１０９：顔面画像送信部、１１０：情報格納ＤＢサーバ、１１１：情報登録処理部、１１２：情報格納ＤＢ、１１３：情報検索処理部、１１４：出力装置、１１５：オペレータ、１１６：本人確認証、１１７：マシン室入室用ＩＤカードライタ、１１８：ＩＤカードリーダ付生体認証装置、２０１：広角カメラ、２０２：ディスプレイ、２０３：タッチパネル、２０４：生体情報リーダ、３０２：主制御部、３０３：ＣＰＵ、３０４：メモリ、３０５：記憶部、３０６：通信部、４００：ユーザＩＤ、４０１：個人情報（氏名）、４０２：生体情報、４０３顔面画像情報、４０４：ＩＤ番号、４０５：ステータス
【図１】
2015225486.tif 000003
【図２】
2015225486.tif 000004
【図３】
2015225486.tif 000005
【図４】
2015225486.tif 000006
【図５】
2015225486.tif 000007
【図６】
2015225486.tif 000008
【図７】
2015225486.tif 000009
【図８】
2015225486.tif 000010